【手続補正書】
【提出日】平成28年4月21日(2016.4.21)
【手続補正１】
【補正対象書類名】特許請求の範囲
【補正対象項目名】全文
【補正方法】変更
【補正の内容】
【特許請求の範囲】
【請求項１】
物体側より像側へ順に配置された、負の屈折力の第１レンズ群、正の屈折力の第２レンズ群、負の屈折力の第３レンズ群、正の屈折力の第４レンズ群より構成され、ズーミングに際して隣り合うレンズ群の間隔が変化するように各レンズ群が移動するズームレンズであって、
広角端から望遠端へのズーミングにおける前記第４レンズ群の移動量をＭ４、望遠端における空気換算値のバックフォーカスをｓｋｔとするとき、
１．２０＜Ｍ４／ｓｋｔ＜５０．００
なる条件式を満足することを特徴とするズームレンズ。
【請求項２】
前記第１レンズ群の最も物体側のレンズ面と前記第１レンズ群の最も像側のレンズ面との光軸上の間隔をＤ１、望遠端における前記第２レンズ群の最も物体側のレンズ面と前記第４レンズ群の最も像側のレンズ面との光軸上の間隔をＤ２４ｔとするとき、
０．００１＜Ｄ１／Ｄ２４ｔ＜０．３００
なる条件式を満足することを特徴とする請求項１に記載のズームレンズ。
【請求項３】
広角端における前記第１レンズ群の最も物体側のレンズ面と前記第２レンズ群の最も像側のレンズ面との光軸上の間隔をＤ１２ｗ、広角端における前記第３レンズ群の最も物体側のレンズ面と前記第４レンズ群の最も像側のレンズ面との光軸上の間隔をＤ３４ｗとするとき、
３．００＜Ｄ１２ｗ／Ｄ３４ｗ＜３０．００
なる条件式を満足することを特徴とする請求項１または２に記載のズームレンズ。
【請求項４】
前記第２レンズ群の焦点距離をｆ２、前記第４レンズ群の焦点距離をｆ４とするとき、０．１０＜ｆ２／ｆ４＜０．７０
なる条件式を満足することを特徴とする請求項１乃至３のいずれか１項に記載のズームレンズ。
【請求項５】
前記第２レンズ群の焦点距離をｆ２、前記第３レンズ群の焦点距離をｆ３とするとき、
０．１０＜ｆ２／｜ｆ３｜＜０．６０
なる条件式を満足することを特徴とする請求項１乃至４のいずれか１項に記載のズームレンズ。
【請求項６】
前記第３レンズ群の焦点距離をｆ３、前記第４レンズ群の焦点距離をｆ４とするとき、
１．００＜｜ｆ３｜／ｆ４＜２．００
なる条件式を満足することを特徴とする請求項１乃至５のいずれか１項に記載のズームレンズ。
【請求項７】
前記第１レンズ群の焦点距離をｆ１、前記第４レンズ群の焦点距離をｆ４とするとき、
０．２０＜｜ｆ１｜／ｆ４＜０．８０
なる条件式を満足することを特徴とする請求項１乃至６のいずれか１項に記載のズームレンズ。
【請求項８】
前記第１レンズ群の焦点距離をｆ１、望遠端における全系の焦点距離をｆｔとするとき、
０．３０＜｜ｆ１｜／ｆｔ＜０．６０
なる条件式を満足することを特徴とする請求項１乃至７のいずれか１項に記載のズームレンズ。
【請求項９】
望遠端におけるレンズ全長をＬｔとするとき、
０．０３＜Ｍ４／Ｌｔ＜０．４０
なる条件式を満足することを特徴とする請求項１乃至８のいずれか１項に記載のズームレンズ。
【請求項１０】
前記第２レンズ群の変倍比をβ２ｚ、前記第３レンズ群と前記第４レンズ群の合成の変倍比をβ３４ｚとするとき、
０．２５＜β３４ｚ／β２ｚ＜０．５０
なる条件式を満足することを特徴とする請求項１乃至９のいずれか１項に記載のズームレンズ。
【請求項１１】
前記３レンズ群は１枚の負レンズからなることを特徴とする請求項１乃至１０のいずれか１項に記載のズームレンズ。
【請求項１２】
無限遠から近距離へのフォーカシングに際して前記第３レンズ群は像側へ移動することを特徴とする請求項１乃至１１のいずれか１項に記載のズームレンズ。
【請求項１３】
前記第１レンズ群は負レンズと正レンズを有し、前記第１レンズ群に含まれるレンズにおける少なくとも１つのレンズ面は非球面形状であることを特徴とする請求項１乃至１２のいずれか１項に記載のズームレンズ。
【請求項１４】
前記第２レンズ群は、最も広い空気間隔を隔てて、物体側から像側へ順に配置された、第２ａ群と第２ｂ群より構成され、像ぶれ補正に際して前記第２ｂ群は光軸に対して垂直方向の成分を持つように移動することを特徴とする請求項１乃至１３のいずれか１項に記載のズームレンズ。
【請求項１５】
前記第２ｂ群は、１枚の正レンズからなることを特徴とする請求項１４に記載のズームレンズ。
【請求項１６】
請求項１乃至１５のいずれか１項に記載のズームレンズと、該ズームレンズによって形成される像を受光する固体撮像素子とを有することを特徴とする撮像装置。
【手続補正２】
【補正対象書類名】明細書
【補正対象項目名】０００７
【補正方法】変更
【補正の内容】
【０００７】
本発明のズームレンズは、物体側より像側へ順に配置された、負の屈折力の第１レンズ群、正の屈折力の第２レンズ群、負の屈折力の第３レンズ群、正の屈折力の第４レンズ群より構成され、ズーミングに際して隣り合うレンズ群の間隔が変化するように各レンズ群が移動するズームレンズであって、
広角端から望遠端へのズーミングにおける前記第４レンズ群の移動量をＭ４、望遠端における空気換算値のバックフォーカスをｓｋｔとするとき、
１．２０＜Ｍ４／ｓｋｔ＜５０．００
なる条件式を満足することを特徴としている。
【手続補正３】
【補正対象書類名】明細書
【補正対象項目名】００２７
【補正方法】変更
【補正の内容】
【００２７】
第２レンズ群Ｌ２の変倍比をβ２ｚ、第３レンズ群Ｌ３と第４レンズ群Ｌ４の合成の変倍比をβ３４ｚとする。このとき次の条件式のうち１以上を満足するのが良い。
【手続補正４】
【補正対象書類名】明細書
【補正対象項目名】００４１
【補正方法】変更
【補正の内容】
【００４１】
次に、各実施例のレンズ構成について説明する。各実施例において、第１レンズ群Ｌ１は１以上の負レンズと正レンズを有する。第１レンズ群Ｌ１に含まれるレンズにおける少なくとも１つのレンズ面は非球面形状である。具体的には負の屈折力の第１レンズ群Ｌ１は、最も物体側に負レンズ、最も像側に正レンズを有している。また、第１レンズ群Ｌ１中の負レンズは非球面を有している。このレンズ構成により、最小のレンズ枚数で倍率色収差や、像面湾曲を良好に補正している。また、第１レンズ群Ｌ１は広角端から望遠端へのズーミングに際して像側に凸状の軌跡で移動することで、前玉有効径の小型化を図っている。
【手続補正５】
【補正対象書類名】明細書
【補正対象項目名】００４３
【補正方法】変更
【補正の内容】
【００４３】
また第２レンズ群Ｌ２は、最も広い空気間隔を隔てて、物体側から像側へ順に配置された、正の屈折力の第２ａ群と正の屈折力の第２ｂ群より構成されている。そして第２ｂ群を光軸に対して垂直方向の成分を持つように移動させて、結像位置を光軸に対して垂直方向に移動させている。
即ち像ぶれ補正を行っている。
【手続補正６】
【補正対象書類名】明細書
【補正対象項目名】００４４
【補正方法】変更
【補正の内容】
【００４４】
具体的には第２レンズ群Ｌ２の最も像側に配置した第２ｂ群は、１枚の正レンズを光軸に対して垂直方向の成分を持つように移動させて、結像位置を光軸に対して垂直方向に変移させることにより、像ぶれ補正（防振）を行っても良い。これによれば、比較的大型の撮像素子に対応したズームレンズにおいても、軽量なレンズの駆動によって防振機能を容易に実現することができる。広角端から望遠端へのズーミングに際して第２レンズ群Ｌ２は物体側に移動している。
【手続補正７】
【補正対象書類名】明細書
【補正対象項目名】００４５
【補正方法】変更
【補正の内容】
【００４５】
各実施例においては、第３レンズ群Ｌ３は、１枚の負レンズで構成している。これにより、レンズ全系の薄型化を実現すると共に、軽量な第３レンズ群Ｌ３を光軸方向に移動してフォーカシングを行っている。具体的には、無限遠から近距離へのフォーカシングに際して第３レンズ群Ｌ３は像側へ移動している。これにより、比較的大型の撮像素子に対応したズームレンズにおいても、軽量なレンズの駆動によって高速なフォーカシングを容易に実現している。